(57)【要約】【課題】フィルタ内に溜まったオイルの再飛散を抑制し、オイルミストの分離性能を向上させることができるオイルミストセパレータを提供する。【解決手段】エンジンのシリンダヘッドカバーＣ上にはブローバイガス流路１４を有するオイルミストセパレータ１０のハウジング１１が設けられ、該ハウジング１１内には四角枠状のフィルタ固定枠１５が設置されるとともに、該フィルタ固定枠１５にブローバイガス中に含まれるオイルミストを付着、液滴化するフィルタ１６が固定されている。そして、フィルタ固定枠１５の下部枠１９の幅ｄは、上部枠１７の幅ｕ及び側部枠１８の幅よりも広く設定されている。さらに、ハウジング１１の底壁１１ａにはフィルタ１６内で液滴化したオイルを排出するオイル排出孔２０が設けられている。【選択図】図１
2010203253.tif 000002
【特許請求の範囲】
【請求項１】
エンジンのシリンダヘッドカバー上にはブローバイガス流路を有するオイルミストセパレータのハウジングを設け、該ハウジング内にはフィルタ固定枠を備え、該フィルタ固定枠にブローバイガス中に含まれるオイルミストを付着、液滴化するフィルタを、ブローバイガス流路を横切るように固定したオイルミストセパレータであって、
前記フィルタ固定枠の下部を上部及び側部よりも幅広に形成するとともに、前記ハウジングの底壁にはフィルタ内で液滴化したオイルを排出するオイル排出孔を設けることを特徴とするオイルミストセパレータ。
【請求項２】
前記フィルタ固定枠はフィルタの上流側に設けられていることを特徴とする請求項１に記載のオイルミストセパレータ。
【請求項３】
前記フィルタ固定枠の下部には貫通孔が設けられていることを特徴とする請求項２に記載のオイルミストセパレータ。
【請求項４】
前記フィルタ固定枠の下部は、その上端縁の高さがハウジング内へブローバイガスを導入する入口の下端部の高さに相当する位置に設けられていることを特徴とする請求項１から請求項３のいずれか１項に記載のオイルミストセパレータ。
【請求項５】
前記オイル排出孔はフィルタの下流側下端部位置のブローバイガスの流れが淀んでいる部位に設けられていることを特徴とする請求項１から請求項４のいずれか１項に記載のオイルミストセパレータ。
【請求項６】
前記フィルタは撥油加工が施されていることを特徴とする請求項１から請求項５のいずれか１項に記載のオイルミストセパレータ。
【発明の詳細な説明】
【技術分野】
【０００１】
本発明は、エンジンのシリンダヘッドカバー上に設けられ、ブローバイガス流路中のブローバイガスに含まれるオイルミストをフィルタ内で液滴化して除去するためのオイルミストセパレータに関する。
【背景技術】
【０００２】
自動車のエンジンの作動中に発生するオイルミストを含んだブローバイガスが吸気系統に還流されると、オイルミストがスロットルや吸気バルブなどの吸気系部品に付着、堆積し、不具合の原因となり得るため、オイルミストセパレータでオイルミストが除去され、ガス分だけがエンジンの負圧を利用してインテークマニホールド等の吸気路に還流されて燃焼される。この種のオイルミストセパレータとしては、ブローバイガス流路にフィルタを配置し、該フィルタによってブローバイガス中のオイルミストを除去するフィルタ式のオイルミストセパレータが知られている。例えば、エンジンヘッドカバーと一体に設けられブローバイガスの入口と出口とを備え、内部にオイルミスト分離手段を有し、入口を下向きの入口管で形成し、入口管内壁に大径部より小径部が低位置となる傾斜壁を有する環状バッフルプレートを取付けたオイルミストセパレータが提案されている（特許文献１を参照）。
【先行技術文献】
【特許文献】
【０００３】
【特許文献１】実開平６−７６６１４号公報（第２頁及び第３頁）
【発明の概要】
【発明が解決しようとする課題】
【０００４】
しかしながら、特許文献１に記載されているオイルミストセパレータにおいては、フィルタに付着したオイルミストが液滴化した後自重によりフィルタ下部に溜まるが、そのフィルタ下部に溜まったオイルの一部はブローバイガス流がフィルタ下部に当ることによって再飛散し、ブローバイガスによって吸気路側に搬送される。このため、オイルミストはフィルタに一旦付着されて分離されるが、再飛散した分だけ分離性能が低下するという問題があった。
【０００５】
そこで、本発明の目的とするところは、フィルタ内に溜まったオイルの再飛散を抑制し、オイルミストの分離性能を向上させることができるオイルミストセパレータを提供することにある。
【課題を解決するための手段】
【０００６】
上記目的を達成するために、請求項１に記載の発明のオイルミストセパレータは、エンジンのシリンダヘッドカバー上にはブローバイガス流路を有するオイルミストセパレータのハウジングを設け、該ハウジング内にはフィルタ固定枠を備え、該フィルタ固定枠にブローバイガス中に含まれるオイルミストを付着、液滴化するフィルタを、ブローバイガス流路を横切るように固定したものである。そして、前記フィルタ固定枠の下部を上部及び側部よりも幅広に形成するとともに、前記ハウジングの底壁にはフィルタ内で液滴化したオイルを排出するオイル排出孔を設けることを特徴とする。
【０００７】
請求項２に記載の発明のオイルミストセパレータは、請求項１に係る発明において、前記フィルタ固定枠はフィルタの上流側に設けられていることを特徴とする。
請求項３に記載の発明のオイルミストセパレータは、請求項２に係る発明において、前記フィルタ固定枠の下部には貫通孔が設けられていることを特徴とする。
【０００８】
請求項４に記載の発明のオイルミストセパレータは、請求項１から請求項３のいずれか１項に係る発明において、前記フィルタ固定枠の下部は、その上端縁の高さがハウジング内へブローバイガスを導入する入口の下端部の高さに相当する位置に設けられていることを特徴とする。
【０００９】
請求項５に記載の発明のオイルミストセパレータは、請求項１から請求項４のいずれか１項に係る発明において、前記オイル排出孔はフィルタの下流側下端部位置のブローバイガスの流れが淀んでいる部位に設けられていることを特徴とする。
【００１０】
請求項６に記載の発明のオイルミストセパレータは、請求項１から請求項５のいずれか１項に係る発明において、前記フィルタは撥油加工が施されていることを特徴とする。
【発明の効果】
【００１１】
本発明によれば、次のような効果を発揮することができる。
本発明のオイルミストセパレータにおいては、フィルタ固定枠の下部が上部及び側部よりも幅広に形成されている。このため、オイルミストがフィルタに付着され液滴化してフィルタの下部に溜まったとき、ブローバイガス流がフィルタ固定枠の下部により遮られ、フィルタ下部には当らない。従って、フィルタの下部に溜まったオイルの再飛散が抑えられる。
【００１２】
よって、本発明のオイルミストセパレータによれば、フィルタ内に溜まったオイルの再飛散を抑制することができ、その結果オイルミストの分離性能を向上させることができる。
【図面の簡単な説明】
【００１３】
【図１】実施形態におけるオイルミストセパレータを示す縦断面図。
【図２】オイルミストセパレータのフィルタ下端部近傍を示す部分拡大断面図。
【図３】オイルミストセパレータを示す横断面図。
【図４】オイルミストセパレータを構成するフィルタ固定枠及びフィルタを示す斜視図。
【図５】オイルミストセパレータの別例を示す縦断面図。
【図６】オイルミストセパレータのさらに別例を示す縦断面図。
【発明を実施するための形態】
【００１４】
以下、本発明を具体化したオイルミストセパレータの実施形態について詳細に説明する。
図１に示すように、エンジンのシリンダブロックに設けられたシリンダヘッドカバーＣ上には、ブローバイガス流路を流れるブローバイガス中のオイルミストからオイルを回収するオイルミストセパレータ１０が設けられている。図１及び図３に示すように、オイルミストセパレータ１０のハウジング１１は四角筒状に形成され、図中左端部にはブローバイガスが導入される入口１２が設けられるとともに、右端部にはブローバイガスが排気される出口１３が設けられている。従って、ハウジング１１内では図中矢印で示すように入口１２から出口１３に向かってブローバイガスが流れるブローバイガス流路１４が形成されている。
【００１５】
ハウジング１１内のブローバイガスの流れ方向中央位置には、図４に示すような四角枠状をなすフィルタ固定枠１５が配設され、その下流側の面にはブローバイガス中のオイルミストを付着、液滴化してオイルを分離、回収するためのフィルタ１６が接着されている。フィルタ固定枠１５は上部の上部枠１７、両側部の側部枠１８及び下部の下部枠１９により構成され、下部枠１９は上部枠１７及び側部枠１８より幅広に形成されている。すなわち、下部枠１９の幅（高さ）ｄは、上部枠１７の幅ｕ及び側部枠１８の幅ｓよりも広く設定されている。なお、上部枠１７の幅ｕと側部枠１８の幅ｓとは同じ幅に設定されている。
【００１６】
図１に示すように、前記下部枠１９の幅ｄは、下部枠１９の上端縁がブローバイガスの入口１２の下端部の高さに相当する位置になるように設定されている。下部枠１９の幅ｄを広げるほど下部枠１９によってブローバイガス流を遮蔽する効果は大きくなる一方、ブローバイガス流の圧力損失が大きくなって好ましくない。このように構成された下部枠１９により、フィルタ１６内で液滴化されたオイルがブローバイガスの流れによって再飛散しないようになっている。
【００１７】
前記フィルタ１６は、ポリエチレンテレフタレート（ＰＥＴ）等のポリエステル製の不織布によって形成されるが、その他多孔質金属、多孔質セラミックス等によっても形成される。該フィルタ１６は、複数枚のフィルタ素材を重ね合わせたものであってもよい。また、フィルタ１６には撥油加工（撥水撥油加工）が施され、フィルタ１６内に付着したオイルミストが液滴化されやすく、さらに液滴化されたオイルが自重により下降しやすくなっている。フィルタ１６の撥油加工は特に制限されないが、フッ素樹脂、シリコーン等の化合物をフィルタ１６内に浸透させ、高温で加熱処理する方法など常法に従って実施される。
【００１８】
図２及び図３に示すように、オイルミストセパレータ１０のハウジング１１の底壁１１ａには、フィルタ１６の下流側下端部位置のブローバイガスの流れが淀んでいる部位に円孔状のオイル排出孔２０が貫通形成されている。なお、ハウジング１１の底壁１１ａはシリンダヘッドカバーＣと一体的に形成されている。このようにオイル排出孔２０をブローバイガスの流れの淀み領域に設けることにより、フィルタ１６の下端部に溜まったオイルがブローバイガスの流れに妨げられることなくオイル排出孔２０から排出されるようになっている。前記フィルタ固定枠１５の下部枠１９には一対の円孔状をなす貫通孔２１が透設され、フィルタ１６下部に溜まったオイルがオイル排出孔２０へ円滑に誘導されるように構成されている。
【００１９】
次に、上記のように構成されたオイルミストセパレータ１０について作用を説明する。
さて、オイルミストセパレータ１０のハウジング１１の入口１２からハウジング１１内へ導入されたブローバイガスはハウジング１１内の中央位置に設けられたフィルタ１６に到り、フィルタ１６内を通過する。このとき、ブローバイガス中のオイルミストはフィルタ１６内の繊維表面に付着し、そこで液滴化される。液滴化されたオイルは自重により繊維表面を伝って下降し、フィルタ１６内の下端部に到り、そこに溜まる。この際、フィルタ１６を構成する繊維は撥油処理が施されているため、繊維表面に付着したオイルミストの液滴化が促進され、しかも液滴化されたオイルが繊維表面を速やかに下降することができる。
【００２０】
フィルタ１６の下端部においては、その上流側にフィルタ固定枠１５の下部枠１９が配置され、該下部枠１９の幅ｄが上部枠１７の幅ｕ及び側部枠１８の幅ｓよりも広く設定されている。このため、ブローバイガス流が下部枠１９により遮られる範囲が広くなり、フィルタ１６の下端部に溜まったオイルがブローバイガス流によって吹き飛ばされることが抑えられる。
【００２１】
そして、フィルタ１６の下端部に溜まったオイルは、フィルタ１６の最下端部すなわちハウジング１１の底壁１１ａ上を経てオイル排出孔２０から排出される。このとき、フィルタ固定枠１５の下部枠１９には一対の貫通孔２１が設けられているため、それらの貫通孔２１からフィルタ１６内へ流れ込むブローバイガス流によりフィルタ１６内のオイルをオイル排出孔２０へと導くことができる。従って、フィルタ１６下端部に溜まったオイルをオイル排出孔２０からシリンダヘッドカバーＣ内に速やかに排出することができる。一方、フィルタ１６を通過したブローバイガスはオイルミストが除去された状態で出口１３から排気され、インテークマニホールド等に還流されて燃焼される。
〔実施形態により発揮される効果のまとめ〕
・  本実施形態のオイルミストセパレータ１０においては、フィルタ固定枠１５の下部枠１９が上部枠１７及び側部枠１８よりも幅広に形成されている。このため、液滴化したオイルがフィルタ１６の下部に溜まったとき、ブローバイガス流がフィルタ固定枠１５の下部枠１９により遮られ、フィルタ１６下部には当らない。従って、フィルタ１６の下部に溜まったオイルの飛散が抑えられる。よって、本実施形態のオイルミストセパレータ１０によれば、フィルタ１６内に溜まったオイルの再飛散を抑制することができ、その結果オイルミストの分離性能を向上させることができる。
【００２２】
・  フィルタ固定枠１５がフィルタ１６の上流側に設けられることにより、液滴化したオイルが溜まったフィルタ１６の下部がフィルタ固定枠１５の下部枠１９によってブローバイガス流に晒されない。そのため、フィルタ１６下部に溜まったオイルの再飛散を一層抑制することができる。
【００２３】
・  フィルタ固定枠１５の下部枠１９には一対の貫通孔２１が設けられていることにより、フィルタ１６の下部に溜まったオイルを、前記貫通孔２１を通るブローバイガス流によってオイル排出孔２０へ容易に誘導することができる。
【００２４】
・  フィルタ固定枠１５の下部枠１９は、その上端縁の高さがハウジング１１の入口１２の下端部の高さに相当する位置に設けられることにより、下部枠１９によるフィルタ１６の下部に対するブローバイガス流の遮蔽効果を有効に発揮させることができる。
【００２５】
・  オイル排出孔２０がフィルタ１６の下流側下端部位置のブローバイガスの流れが淀んでいる部位に設けられていることにより、フィルタ１６下端部から流れ出るオイルを、ブローバイガスの流れに妨げられることなく、オイル排出孔２０へ円滑に導くことができる。
【００２６】
・  フィルタ１６は撥油加工が施されていることにより、フィルタ１６中でオイルミストの液滴化を促すことができるとともに、液滴化したオイルの自重による下降を促進することができる。
【００２７】
なお、前記実施形態を次のように変更して実施することも可能である。
・  図５に示すように、フィルタ固定枠１５をフィルタ１６の下流側に配置し、下部枠１９の下端部に貫通孔２２を透設するとともに、該貫通孔２２の下方位置におけるハウジング１１の底壁１１ａにオイル排出孔２０を設けるように構成することもできる。この場合、下部枠１９に吹き付けるブローバイガス流により、フィルタ１６内のオイルを下部枠１９の貫通孔２２からオイル排出孔２０へと誘導することができる。
【００２８】
・  図６に示すように、前記実施形態のオイルミストセパレータ１０において、フィルタ固定枠１５の下部枠１９に透設された貫通孔２１を省略するとともに、オイル排出孔２０をフィルタ１６の下方位置（フィルタ１６の中間下端部と下流側下端部との間）に設けることもできる。この場合、フィルタ１６内のオイルを直下のオイル排出孔２０から容易に排出することができる。なお、フィルタ固定枠１５の下部枠１９の上端部の高さは、ハウジング１１の入口１２の下端部の高さよりも下方位置に設定されている。
【００２９】
・  前記実施形態において、ブローバイガスの流れが淀んでいる位置は下部枠１９の後方延長線上であるため、オイル排出孔２０の下流側端部をさらに下流側へ広げることも可能である。
【００３０】
・  前記実施形態において、フィルタ固定枠１５の下部枠１９に設けられている貫通孔２１を水平方向に延びる長孔にしたり、孔の数を３個以上に増加したりして、その機能を高めることもできる。或いは、貫通孔２１を省略することも可能である。
【００３１】
・  前記フィルタ固定枠１５の形状を六角枠状、八角枠状等の多角形状等に形成することもできる。
・  前記オイル排出孔２０をハウジング１１の底壁１１ａの幅方向において、フィルタ固定枠１５の両側部枠１８の間に位置するようにすることができる。この場合、両側部枠１８間におけるブローバイガス流により、フィルタ１６内のオイルをオイル排出孔２０へ容易に導くことができる。
【００３２】
・  前記実施形態でフィルタ１６より下流側におけるハウジング１１の底壁１１ａをオイル排出孔２０の位置が最も低くなるように傾斜させることができる。
・  前記フィルタ固定枠１５をオイルミストセパレータ１０のハウジング１１と一体に形成することも可能である。
【符号の説明】
【００３３】
１０…オイルミストセパレータ、１１…ハウジング、１１ａ…底壁、１２…入口、１４…ブローバイガス流路、１５…フィルタ固定枠、１６…フィルタ、１７…上部としての上部枠、１８…側部としての側部枠、１９…下部としての下部枠、２０…オイル排出孔、２１、２２…貫通孔、Ｃ…シリンダヘッドカバー、ｄ…下部枠の幅、ｕ…上部枠の幅、ｓ…側部枠の幅。
【図１】
2010203253.tif 000003
【図２】
2010203253.tif 000004
【図３】
2010203253.tif 000005
【図４】
2010203253.tif 000006
【図５】
2010203253.tif 000007
【図６】
2010203253.tif 000008